【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
パイロヒューズ制御回路であって、
導体に流れる電流が閾値電流を超えるかを判定するように構成される電流感知回路であって、
前記導体に配置されるシャント抵抗器の電圧を測定するように構成される第１の絶縁増幅器と、
前記第１の絶縁増幅器の出力に結合され、前記第１の絶縁増幅器の出力電圧を前記閾値電流を示す第１の閾値電圧と比較するように構成される、第１のコンパレータと、
を含む、前記電流感知回路と、
前記電流感知回路に結合され、前記電流感知回路によって生成される、前記閾値電流を超える電流のインジケーションが、前記導体に流れる電流によって引き起こされており、前記電流感知回路の故障によって引き起こされないかを判定するように構成される、診断回路であって、
前記第１の絶縁増幅器の第１の入力端子に結合されるスイッチと、
前記第１の絶縁増幅器の第２の入力端子に結合され、前記第１の絶縁増幅器の第２の入力端子を介する前記スイッチからの電流フローを検出するように構成される、第２の絶縁増幅器と、
前記第２の絶縁増幅器の出力に結合され、前記第２の絶縁増幅器の出力電圧を前記第２の絶縁増幅器の第２の入力端子に流れる所定の電流を示す第２の閾値電圧と比較するように構成される、第２のコンパレータと、
を含む、前記診断回路と、
を含む、パイロヒューズ制御回路。
【請求項２】
請求項１に記載のパイロヒューズ制御回路であって、
前記導体に流れる電流が前記閾値電流を超えることを示す前記第１のコンパレータの出力と、前記第１の絶縁増幅器の第２の入力端子に流れる電流が前記所定の電流を超えることを示す前記第２のコンパレータの出力とに基づいて、パイロヒューズをトリガするように構成される制御回路要素を更に含む、パイロヒューズ制御回路。
【請求項３】
請求項２に記載のパイロヒューズ制御回路であって、
前記制御回路要素が、前記第１のコンパレータと前記第２のコンパレータと前記スイッチとに結合されるプロセッサであって、
前記第１のコンパレータによって生成される出力信号に基づいて前記スイッチを制御し、
前記第１のコンパレータによって生成される前記出力信号と前記第２のコンパレータによって生成される出力信号とに基づいてパイロヒューズを制御する、
ように構成される、前記プロセッサを含む、パイロヒューズ制御回路。
【請求項４】
請求項２に記載のパイロヒューズ制御回路であって、
前記制御回路要素が、前記第１のコンパレータと前記第２のコンパレータとに結合されるＡＮＤゲートであって、前記第１のコンパレータによって生成される出力信号と前記第２の制御回路によって生成される出力信号とに基づいて前記パイロヒューズをトリガするように構成される、前記ＡＮＤゲートを含む、パイロヒューズ制御回路。
【請求項５】
請求項２に記載のパイロヒューズ制御回路であって、
前記導体に流れる電流が前記閾値電流を超えることを示す前記第１のコンパレータによって生成される出力信号、又は前記第１の絶縁増幅器の第２の入力端子に流れる電流が前記所定の電流を超えることを示す前記第２のコンパレータによって生成される出力信号に基づいて、前記パイロヒューズ制御回路の外部の回路に故障状態を示すように構成される故障インジケータを更に含む、パイロヒューズ制御回路。
【請求項６】
パイロヒューズ回路であって、
導体における電流フローを表す信号を第１の電力ドメインから第２の電力ドメインに伝送するように構成される第１の絶縁増幅器と、
前記第１の絶縁増幅器の入力端子における電流フローを表す信号を前記第１の電力ドメインから前記第２の電力ドメインに伝送するように構成される第２の絶縁増幅器と、
前記導体における電流フローが第１の電流閾値を超えることを表す前記第１の絶縁増幅器によって生成される出力信号と、前記第１の絶縁増幅器の入力端子における電流フローが第２の電流閾値を超えることを表す前記第２の絶縁増幅器によって生成される出力信号とに基づいてパイロヒューズを活性化するように構成される制御回路要素と、
前記第２の電力ドメインに配置されて前記第１の絶縁増幅器の出力に結合される第１の比較器であって、前記第１の絶縁増幅器の出力の電圧を前記第１の電流閾値を表す電圧と比較するように構成される、前記第１比較器と、
前記第２の電力ドメインに配置されて前記第２の絶縁増幅器の出力に結合される第２の比較器であって、前記第２の絶縁増幅器の出力の電圧を前記第２の電流閾値を表す電圧と比較するように構成される、前記第２の比較器と、
を含む、パイロヒューズ回路。
【請求項７】
パイロヒューズ回路であって、
導体における電流フローを表す信号を第１の電力ドメインから第２の電力ドメインに転送するように構成される第１の絶縁増幅器と、
前記第１の絶縁増幅器の第１の入力端子における電流フローを表す信号を前記第１の電力ドメインから前記第２の電力ドメインに転送するように構成される第２の絶縁増幅器と、
前記第２の電力ドメインに配置されて前記第１の絶縁増幅器の出力に結合される第１の比較器であって、前記第１の絶縁増幅器の出力における電圧を第１の電流閾値を表す電圧と比較するように構成される、前記第１の比較器と、
前記第２の電力ドメインに配置されて前記第２の絶縁増幅器の出力に結合される第２の比較器であって、前記第２の絶縁増幅器の出力における電圧を第２の電流閾値を表す電圧と比較するように構成される第２の比較器と、
前記第１の電力ドメインに配置されて前記第１の絶縁増幅器の第２の入力端子に結合されるスイッチと、
前記第２の電力ドメインから前記第１の電力ドメインに信号を転送するためのアイソレータであって、前記スイッチと前記第１のコンパレータの出力とに結合される、前記アイソレータと、
前記第１の比較器のよって生成される出力信号と前記第２の比較器によって生成される出力信号とに基づいてパイロヒューズを活性化するように構成される制御回路要素であって、前記第１の比較器と前記第２の比較器と前記アイソレータとに結合されるプロセッサであって、
前記導体における電流フローが前記第１の電流閾値を超えたことを示す前記第１の比較器の出力に基づいて前記スイッチを閉じ、
前記第１の絶縁増幅器の入力端子における電流フローが前記第２の電流閾値より小さいことを示す前記第２の比較器の出力に基づいて前記パイロヒューズの活性化を阻止する、
ように構成される、前記プロセッサを含む、前記制御回路要素と、
を含む、パイロヒューズ回路。
【請求項８】
パイロヒューズ回路であって、
導体における電流フローを表す信号を第１の電力ドメインから第２の電力ドメインに転送するように構成される第１の絶縁増幅器と、
前記第１の絶縁増幅器の第１の入力端子における電流フローを表す信号を前記第１の電力ドメインから前記第２の電力ドメインに転送するように構成される第２の絶縁増幅器と、
前記第２の電力ドメインに配置されて前記第１の絶縁増幅器の出力に結合される第１の比較器であって、前記第１の絶縁増幅器の出力における電圧を第１の電流閾値を表す電圧と比較するように構成される、前記第１の比較器と、
前記第２の電力ドメインに配置されて前記第２の絶縁増幅器の出力に結合される第２の増幅器であって、前記第２の絶縁増幅器の出力における電圧を第２の電流閾値を表す電圧と比較するように構成される、前記第２の比較器と、
前記第１の電力ドメインに配置されて前記第１の絶縁増幅器の第２の入力端子に結合されるスイッチと、
前記第２の電力ドメインから前記第１の電力ドメインに信号を転送するためのアイソレータであって、前記スイッチと前記第１のコンパレータの出力とに結合され、前記導体における電流フローが前記第１の電流閾値を超えることを示す前記第１の比較器の出力に基づいて前記スイッチを閉じるように構成される、前記アイソレータと、
前記第１の比較器によって生成される出力信号と前記第２の比較器によって生成される出力信号とに基づいてパイロヒューズを活性化するように構成される制御回路要素であって、前記第１の比較器と前記第２の比較器と前記パイロヒューズとに結合される論理ゲートであって、前記第１の絶縁増幅器の第１の入力端子における電流フローが前記第２の電流閾値より小さいことを示す前記第２の比較器の出力に基づいて前記パイロヒューズの活性化を阻止するように構成される、前記論理ゲートを含む、前記制御回路要素と、
を含む、パイロヒューズ回路。
【請求項９】
パイロヒューズ回路であって、
導体における電流フローを表す信号を第１の電力ドメインから第２の電力ドメインに転送するように構成される第１の絶縁増幅器と、
前記第１の絶縁増幅器の入力端子における電流フローを表す信号を前記第１の電力ドメインから前記第２の電力ドメインに転送するように構成される第２の絶縁増幅器と、
前記導体における電流フローが第１の電流閾値を超えることを表す前記第１の絶縁増幅器によって生成される出力信号と、前記第１の絶縁増幅器の入力端子における電流フローが第２の電流閾値を超えることを表す前記第２の絶縁増幅器によって生成される出力信号とに基づいてパイロヒューズを活性化するように構成される制御回路要素と、
前記導体における電流フローが前記第１の電流閾値を超えることを示す前記第１の比較器の出力、又は、前記第１の絶縁増幅器の入力端子における電流フローが前記第２の電流閾値を超えることを示す前記第２の比較器の出力に基づいて、前記パイロヒューズ回路の外部の回路要素に故障状態を示すように構成される故障インジケータと、
を含む、パイロヒューズ回路。